(57)【要約】【課題】建物内のスペースを出来る限り確保することができるとともに、熱の利用効率が高い床暖房システムを提供する。【解決手段】建物１の屋根面４ａに、屋根葺材５が屋根面４ａとの間に空気流通層Ｓを介在させた状態で設けられ、建物１内に熱交換器３０が設けられ、空気流通層Ｓの空気を熱交換器３０に送り込む空気流通路１０が空気流通層Ｓから熱交換器３０まで配され、建物１の床下１７に放熱管４２が設けられ、循環パイプ４１が熱交換器３０と放熱管４２との間に配管され、空気流通路１０により熱交換器３０に送り込まれた空気の熱が、熱交換器３０によって、循環パイプ４１により熱交換器３０に送り込まれた液状熱媒体に移動され、循環パイプ４１により放熱管４２に送り込まれた液状熱媒体の熱が、放熱管４２によって建物４１の床下１７に放熱される。【選択図】図１
2014202453.tif 000002
【特許請求の範囲】
【請求項１】
建物の屋根面に、屋根葺材が前記屋根面との間に空気流通層を介在させた状態で設けられ、
前記建物内に熱交換器が設けられ、
前記空気流通層の空気を前記熱交換器に送り込む空気流通路が前記空気流通層から前記熱交換器まで配され、
前記建物の床を暖房する放熱管が設けられ、
前記熱交換器と前記放熱管との間に、液状熱媒体を循環させる循環パイプが配管され、
前記空気流通路により前記熱交換器に送り込まれた空気の熱が、前記熱交換器によって、前記循環パイプにより前記熱交換器に送り込まれた液状熱媒体に移動され、
前記循環パイプにより前記放熱管に送り込まれた液状熱媒体の熱が、前記放熱管によって放熱されることを特徴とする建物の床暖房システム。
【請求項２】
前記放熱管が前記床に配管されていることを特徴とする請求項１に記載の床暖房システム。
【請求項３】
前記建物内に、前記建物内の部屋の空気を除湿するデシカント除湿器が設けられ、
前記熱交換器と前記デシカント除湿器との間に、液状熱媒体を循環させる第二循環パイプが配管され、
前記空気流通路により前記熱交換器に送り込まれた空気の熱が、前記熱交換器によって、前記第二循環パイプにより前記熱交換器に送り込まれた液状熱媒体に移動され、
前記第二循環パイプにより前記デシカント除湿器に送り込まれた液状熱媒体の熱が、前記デシカント除湿器による除湿に利用されることを特徴とする請求項１又は２に記載の床暖房システム。
【請求項４】
前記建物の外又は内に、水を貯留するとともにその水に接触する内部熱交換器を有した蓄熱タンクが設置され、
前記熱交換器と前記内部熱交換器との間に、液状熱媒体を循環させる第三循環パイプが配管され、
前記空気流通路により前記熱交換器に送り込まれた空気の熱が、前記熱交換器によって、前記第三循環パイプにより前記熱交換器に送り込まれた液状熱媒体に移動され、
前記第三循環パイプにより前記内部熱交換器に送り込まれた液状熱媒体の熱が、前記内部熱交換器によって前記蓄熱タンク内の水に移動されることを特徴とする請求項１から３の何れか一項に記載の床暖房システム。
【請求項５】
前記熱交換器が前記建物の屋根裏に設置されていることを特徴とする請求項１から４の何れか一項に記載の床暖房システム。
【発明の詳細な説明】
【技術分野】
【０００１】
本発明は、建物の床暖房システムに関し、特に、太陽光で加熱された空気を暖房等に利用する技術に関する。
【背景技術】
【０００２】
太陽光によって加熱された空気（暖気）を利用した床下暖房システムの一例として特許文献１に記載ものが知られている。
この床下暖房システムは以下のような構成となっている。
すなわち、太陽電池モジュールが建物の屋根面との間に空気流通層を介在させた状態でその屋根面上に設けられ、ダクトがこの空気流通層から建物の内部を経由して床下まで配管されている。
また、床下には、基礎とコンクリートと床とに囲われた空間が設けられており、ダクトの下端部が床下において略水平に配置されており、そのダクトの外周面には吹出口が形成されている。そして、この吹出口から暖気を吹き出し、その暖気の熱を１階の部屋の床暖房に利用する。
【先行技術文献】
【特許文献】
【０００３】
【特許文献１】特開２０１１−１７１３号公報
【発明の概要】
【発明が解決しようとする課題】
【０００４】
ところで、空気の体積比熱が低いので、従来の技術では、暖気を床下に供給し続けることによって床を暖房する必要がある。そのため、屋根から床下まで配管されたダクトを太くし、ダクトを流れる暖気の流量を増やす必要がある。太いダクトは、設置スペースを多くとってしまううえ、設置する箇所も制限されてしまう。
また、ダクトから床下に吹き出された暖気は、床下から建物の外等に排出する必要がある。排気とともに熱が建物の外に放出されるので、熱の利用効率が低い。
【０００５】
そこで、本発明は、上記事情に鑑みてなされたものであって、建物内のスペースを出来る限り確保することができるとともに、熱の利用効率が高い床暖房システムを提供することを目的とする。
【課題を解決するための手段】
【０００６】
上記課題を解決するための請求項１に係る発明は、例えば図１及び図２に示すように、建物１の屋根面４ａに、屋根葺材（例えば、太陽電池モジュール５、透明ガラスモジュール５Ａ）が前記屋根面４ａとの間に空気流通層Ｓを介在させた状態で設けられ、前記建物１内に熱交換器３０が設けられ、前記空気流通層Ｓの空気を前記熱交換器３０に送り込む空気流通路１０が前記空気流通層Ｓから前記熱交換器３０まで配され、前記建物１の床１６を暖房する放熱管４２が設けられ、前記熱交換器３０と前記放熱管４２との間に、液状熱媒体を循環させる循環パイプ４１が配管され、前記空気流通路１０により前記熱交換器３０に送り込まれた空気の熱が、前記熱交換器３０によって、前記循環パイプ４１により前記熱交換器３０に送り込まれた液状熱媒体に移動され、前記循環パイプ４１により前記放熱管４２に送り込まれた液状熱媒体の熱が、前記放熱管４２によって放熱されることを特徴とする建物の床暖房システムである。
【０００７】
請求項１に係る発明によれば、放熱管４２と熱交換器３０との間を循環パイプ４１によって循環される液状熱媒体は空気よりも体積比熱が高く、より多くの熱量を蓄えるので、循環パイプ４１を細くすることによって液状熱媒体の流量を低くしても、充分な熱量が熱交換器３０から放熱管４２に移動される。よって、循環パイプ４１を細くすることができ、循環パイプ４１の設置スペースが狭くても済み、建物１内にスペースを確保することができる。
また、液状熱媒体が循環されるので、液状熱媒体の排出に伴って熱を排出することがない。それゆえ、熱を有効利用することができる。
【０００８】
請求項２に係る発明は、前記放熱管４２が前記床１６に配管されていることを特徴とする請求項１に記載の床暖房システムである。
【０００９】
請求項２に係る発明によれば、放熱管４２が床１６に配管されているので、床１６を効率よく暖房（蓄熱）することができる。
【００１０】
請求項３に係る発明は、前記建物１内に、前記建物１内の部屋の空気を除湿するデシカント除湿器６２が設けられ、前記熱交換器３０と前記デシカント除湿器６２との間に、液状熱媒体を循環させる第二循環パイプ６１が配管され、前記空気流通路１０により前記熱交換器３０に送り込まれた空気の熱が、前記熱交換器３０によって、前記第二循環パイプ６１により前記熱交換器３０に送り込まれた液状熱媒体に移動され、前記第二循環パイプ６１により前記デシカント除湿器６２に送り込まれた液状熱媒体の熱が、前記デシカント除湿器６２による除湿に利用されることを特徴とする請求項１又は２に記載の床暖房システムである。
【００１１】
請求項３に係る発明によれば、空気流通層Ｓにおいて回収した太陽熱をデシカント除湿器６２の除湿に利用することができ、省エネな建物１を提供することができる。
【００１２】
請求項４に係る発明は、前記建物１の外又は内に、水を貯留するとともにその水に接触する内部熱交換器（例えば、内部配管５２ａ）を有した蓄熱タンク５２が設置され、前記熱交換器３０と前記内部熱交換器５２ａとの間に、液状熱媒体を循環させる第三循環パイプ５１が配管され、前記空気流通路１０により前記熱交換器３０に送り込まれた空気の熱が、前記熱交換器３０によって、前記第三循環パイプ５１により前記熱交換器３０に送り込まれた液状熱媒体に移動され、前記第三循環パイプ５１により前記内部熱交換器５２ａに送り込まれた液状熱媒体の熱が、前記内部熱交換器５２ａによって前記蓄熱タンク５２内の水に移動されることを特徴とする請求項１から３の何れか一項に記載の床暖房システムである。
【００１３】
請求項４に係る発明によれば、空気流通層Ｓにおいて回収した太陽熱を蓄熱タンク５２内の水の加熱・保温に利用することができ、省エネな建物１を提供することができる。
【００１４】
請求項５に係る発明は、前記熱交換器３０が前記建物１の屋根裏に設置されていることを特徴とする請求項１から４の何れか一項に記載の床暖房システムである。
【００１５】
請求項５に係る発明によれば、熱交換器３０が屋根に近い屋根裏に設置されているので、屋根面４ａから熱交換器３０までの空気流通路１０の経路を短くすることができるうえ、空気流通路１０を屋根裏に設置することができる。そのため、空気の流量を増やすべく空気流通路１０を太くしても、建物内の部屋等の居住スペースを大きく確保することができる。
【発明の効果】
【００１６】
本発明によれば、循環パイプの設置スペースを狭くして、建物内にスペースを確保することができる。また、液状熱媒体の排出に伴う廃熱がなく、熱の利用効率が高い。
また、屋根上であえて液状熱媒体を循環させないことで、屋根漏水のリスクを回避することができる。更に、熱用途を多様化したことで、変動幅の大きい太陽熱集熱量（温度）をより有効に活用することができる。
【図面の簡単な説明】
【００１７】
【図１】本発明の実施形態に係る床暖房システムを備えた建物の要部を示す縦断面図である。
【図２】同実施形態に係る床暖房システムの概略構成を示す図面である。
【図３】同実施形態に係る建物の屋根及びそれに設置された太陽電池モジュールを示す断面図である。
【図４】同実施形態に係る建物の屋根及びそれに設置された太陽電池モジュールを示す断面図である。
【発明を実施するための形態】
【００１８】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１９】
図１は、建物１の要部を示す縦断面図である。図２は、この建物１に適用された床暖房システム８の概略構成を示す図である。
【００２０】
図１に示すように、建物１は、床暖房システム８と、基礎２と、基礎２上に構築された建物本体３と、この建物本体３上に設けられた屋根４とを備えたものである。
【００２１】
図１では建物本体３が１階建てであるが、複数階建てであってもよい。建物本体３の１階には部屋１５（例えば、リビングダイニング）が設けられている。部屋１５に空調機（例えば、クーリングユニット、ヒートポンプ、気化放熱式涼風機等）７０が設けられており（図２参照）、夏季は空調機７０によって部屋１５が冷房される。
【００２２】
部屋１５の床１６の下の地盤上には、基礎２の床版を構成する基礎スラブ（コンクリートスラブ）２０が打設されており、この基礎スラブ２０の周縁部には立上部２１が基礎スラブ２０と一体的に打設されている。基礎スラブ２０の周縁部、つまり立上部２１には床下１７側を向く側面に断熱材（断熱層）２２が設けられている。断熱材２２は断面略Ｌ字形に形成されており、基礎スラブ２０の外周縁部から立上部２１の上端にかけて設けられている。また、建物本体３の外には蓄熱タンク（貯湯タンク）５２が設けられており、給湯器（例えば、ヒートポンプ型給湯器）で加熱された温水がこの蓄熱タンク５２に貯留される。
【００２３】
屋根４は、複数の屋根パネルを建物本体３上に敷設してなるものである。屋根パネルは框材を矩形枠状に組み立てるとともに、この矩形枠の内部に補強用の桟材を縦横に組み付け、さらに矩形枠の上面に合板等の面材を取り付けてなるものである。また、面材の裏面には集熱効率を高めるために断熱材が設けられている。
【００２４】
屋根４の上面には、棟から軒先に向かって下り勾配を有した屋根面４ａが形成されている。この屋根面４ａには、屋根４を覆う平板状屋根葺材としての複数のシースルー型太陽電池モジュール５が屋根面４ａとの間に空気流通層Ｓを介在させた状態で設けられている。なお、シースルー型太陽電池モジュール５に代えて、通常の不透明なタイプの太陽電池モジュールを設けてもよい。
シースルー型太陽電池モジュール５は、矩形薄板状をなすものであり、単結晶シリコンのＰＶセルを強化ガラス（上面）と透明バックシート（下面）との間に、EVA樹脂を使って封入したものであり、ＰＶセルとＰＶセルとの間に照射された太陽光が透明バックシートを透過することによって、屋根面４ａに吸収される日射量を確保するようになっている。
【００２５】
図３は、屋根４及びシースルー型太陽電池モジュール５の断面図である。図３に示す断面は、軒と平行な鉛直断面である。図３に示すように、前記シースルー型太陽電池モジュール５（以下、太陽電池モジュール５と略称する。）の周縁部には、該周縁部を囲む四角枠状のフレーム６が設けられている。
一方、屋根面４ａには複数の支持レール７が固定されており、これら支持レール７が棟方向に所定間隔で配列されている。フレーム６が隣り合う支持レール７に取り付けられ、太陽電池モジュール５が屋根面４ａから離れた状態で隣り合う支持レール７の間に架設され、太陽電池モジュール５がフレーム６及び隣り合う支持レール７によって屋根面４ａの上に支持される。これによって、太陽電池モジュール５と屋根面４ａとの間に隙間が形成され、その隙間が空気流通層Ｓとなる。
【００２６】
太陽電池モジュール５は屋根４の傾斜方向に複数枚設置されるが、棟近傍には、太陽電池モジュール５に代えて、屋根４を覆う平板状屋根葺材としての透明ガラスモジュール５Ａが設置される。透明ガラスモジュール５Ａは、ＰＶセルがないことを除いて太陽電池モジュール５と同様の構造を有する。透明ガラスモジュール５Ａの屋根面４ａへの取り付けは、太陽電池モジュール５の屋根面４ａの取り付けと同様であり、透明ガラスモジュール５Ａと屋根面４ａとの間に空気流通層Ｓが形成される。太陽電池モジュール５の代わりに透明ガラスモジュール５Ａが棟近傍において屋根４を覆うので、空気流通層Ｓの温度上昇と集熱向上を図ることができる。
【００２７】
図４は、屋根４及び太陽電池モジュール５の断面図である。図４に示す断面は、軒と直交する鉛直断面である。図４に示すように、空気流通層Ｓは、太陽電池モジュール５の軒先側に取り付けられた面戸４ｂの隙間４ｃと、屋根面４ａの棟側に形成されて屋根裏１４に通じる開口部４ｄとに連通している。また、開口部４ｄには、管状の空気流通路１０が接続されている。開口部４ｄは複数設けられ、これら開口部４ｄが棟方向に沿って配列されている。
【００２８】
ここで、屋根面４ａの棟側に形成された開口部４ｄに空気流通路１０を接続したのは、空気流通層Ｓ内で加熱された空気を屋根４の棟側からそのまま空気流通路１０に吸い込むことができるためである。つまり、軒先側から取り込んだ空気は棟側に上昇するに伴い加熱され温度が上昇するので、空気流通路１０を棟側に設けた方が軒先側に設ける場合よりも集熱率が高くなるため好ましい。
また、空気流通層Ｓに雨水等が流入しないように、空気流通層Ｓの周縁部が止水されており、開口部４ｄを通じた屋内への漏水が防止されている。
【００２９】
図１及び図２に示すように、空気流通路１０はダクト１０ａ、チャンバー１０ｂ、ダクト１０ｃ、ダクト１０ｄ及びダクト１０ｅを備えており、空気流通路１０の一端部から他端部の間の中途部にはファンユニット１１及び熱交換器３０が設けられている。ファンユニット１１は、空気流通路１０のうちファンユニット１１よりも上流側（開口部４ｄ側）に負圧を発生させ、ファンユニット１１よりも下流側に正圧を発生させるものである。空気流通層Ｓ内の加熱された空気は、ファンユニット１１によって空気流通層Ｓから空気流通路１０に吸い込まれて、熱交換器３０へ送られる。
【００３０】
ダクト１０ａ、チャンバー１０ｂ、ダクト１０ｃ、ファンユニット１１、ダクト１０ｄ及び熱交換器３０は屋根裏１４に設置されている。
ダクト１０ａが複数設けられ、これらダクト１０ａの一端部が開口部４ｄにそれぞれ接続され、これらダクト１０ａの他端部がチャンバー１０ｂに接続されている。これらダクト１０ａがこれらの間に所定間隔を置いてチャンバー１０ｂの軸方向に沿って配列されている。
チャンバー１０ｂは屋根の棟方向に長尺な筒状のものであり、チャンバー１０ｂの端部は建物本体３の妻壁に設けられた換気ガラリに接続されている。更にチャンバー１０ｂの外周部には、前記複数のダクト１０ａがチャンバー１０ｂの軸方向に所定間隔を置いて接続されている。
ダクト１０ｃの一端部はチャンバー１０ｂの外周部に接続され、ダクト１０ｃの他端部はファンユニット１１に接続されている。
ダクト１０ｄの一端部はファンユニット１１に接続され、ダクト１０ｄの他端部は熱交換器３０に接続されている。
ダクト１０ｅの一端部は熱交換器３０に接続されており、空気流通層Ｓから熱交換器３０に送られた空気が熱交換器３０からダクト１０ｅへ送り出される。ダクト１０ｅの他端部は、建物本体３の外壁に形成された排気口、建物本体３の室内の内壁に形成された吹出口、建物本体３の床下に設けられた吹出口付き配管又は他の熱交換器等に接続されている。
なお、図１及び図２ではファンユニット１１が熱交換器３０よりも空気流通路１０の上流側に設けられているが、下流側に設けられてもよい。
【００３１】
チャンバー１０ｂ内には、このチャンバー１０ｂとダクト１０ｃとの接続部を開閉する図示しない第１電動ダンパと、チャンバー１０ｂの端部を開閉する図示しない第２電動ダンパとが設けられており、夏季の日中は第１電動ダンパを閉じるとともに、第２電動ダンパを開けることによって、空気流通層Ｓ内の加熱された空気を妻壁の換気ガラリから自然排気できるようになっている。
第１および第２電動ダンパは図示しないコントローラに接続され、このコントローラは前記透明ガラスモジュールの近傍の空気流通層Ｓに設置された図示しない温度センサに接続されている。
そして、第１および第２電動ダンパは、空気流通層Ｓの温度変化に伴って、前記コントローラによって自動的に開閉されるようになっている。例えば、夏季の日中には、第１電動ダンパを閉じるとともに、第２電動ダンパを開けることによって、空気流通層Ｓ内の加熱された空気を妻壁の換気ガラリから自然排気する。一方、冬季の日中には、第１電動ダンパを開けるとともに、第２電動ダンパを閉じることによって、空気流通層Ｓで加熱された空気をダクト１０ａ、チャンバー１０ｂ、ダクト１０ｃ、ダクト１０ｄ及び熱交換器３０に流通させ、その空気を熱交換器３０の熱交換に利用することができる。
【００３２】
熱交換器３０は、空気流通層Ｓから熱交換器３０に送り込まれた空気の熱を、循環パイプ４１，５１，６１によって熱交換器３０に送り込まれた状熱媒体（例えば、水）に移動させる。これによって、空気流通層Ｓから熱交換器３０に送り込まれた空気が冷却され、循環パイプ４１，５１，６１を通じて熱交換器３０に送り込まれた液状熱媒体が加熱される。
【００３３】
循環パイプ４１，５１，６１はダクト１０ａ，１０ｃ，１０ｄ及びチャンバー１０ｂよりも細い。
循環パイプ４１が２本設けられ、これら循環パイプ４１の一端部が熱交換器３０に接続されて、これら循環パイプ４１の一端部同士が熱交換器３０の内部配管を介して通じている。２本の循環パイプ５１及び２本の循環パイプ６１についても同様である。循環パイプ４１の一端部同士、循環パイプ５１の一端部同士及び循環パイプ６１の一端部同士をそれぞれ接続する内部配管が熱交換器３０の内部において葛折り状に蛇行して設けられ、これによって、空気流通層Ｓから熱交換器３０に送り込まれた空気とこれら内部配管内の液状熱媒体との間の熱交換効率が高くなっている。
【００３４】
これら循環パイプ４１は、天井及び部屋１５の床１６等を貫通して、屋根裏１４から部屋１５の床下１７まで配管されている。一方の循環パイプ４１の他端部が放熱管４２の一端部に接続され、他方の循環パイプ４１の他端部が放熱管４２の他端部に接続され、これら循環パイプ４１の他端部同士が放熱管４２を介して通じている。また、循環パイプ４１の中途部には循環ポンプ４３が設けられており、この循環ポンプ４３によって液状熱媒体が循環パイプ４１を通じて熱交換器３０と放熱管４２との間で循環される。図１では循環パイプ４１が部屋１５を経由して屋根裏１４と床下１７との間に配管されているが、部屋１５以外の部屋又は壁の内部等を経由して配管されてもよい。
【００３５】
放熱管４２はダクト１０ａ，１０ｃ，１０ｄ，１０ｅ及びチャンバー１０ｂよりも細い。放熱管４２は部屋１５の床下１７全体に水平に配置されている。本実施の形態では、放熱管４２は、平面視において葛折り状に蛇行して配置されている。図１及び図２では、放熱管４２が床１６から離れて基礎スラブ２０上に配置されているが、放熱管４２が床１６に配管されてもよい。つまり、放熱管４２が床１６の裏面に接触した状態で床１６の裏面に配管されていてもよいし、床１６の表面と裏面との間の床１７の内部に配管されていてもよい。
放熱管４２内を流動する液状熱媒体の熱が床１６及び床下１７へ放熱され、床１６が放熱管４２によって暖房される。放熱により冷却された液状熱媒体が循環パイプ４１を通って熱交換器３０に送られ、その液状熱媒体が熱交換器３０によって加熱された後に再び放熱管４２に送られる。このような液状熱媒体の循環によって床１６及び部屋１５が適度な温度に温められる。つまり、放熱管４２は、その放熱管４２内を流れる液状熱媒体と床下１７の空気との間で熱交換を行う熱交換器として機能する。なお、放熱管４２の放熱効果を向上させるべく、放熱フィンが放熱管４２の外周面に設けられていてもよい。
【００３６】
２本の循環パイプ５１は、建物本体３の外壁を貫通して、屋根裏１４から屋外の蓄熱タンク５２まで配管されている。これら循環パイプ５１の他端部が蓄熱タンク５２に接続されて、これら循環パイプ５１の他端部同士が蓄熱タンク５２の内部配管（内部熱交換器）５２ａを介して通じており、その内部配管５２ａが蓄熱タンク５２内の水に接触する。循環パイプ５１の中途部には循環ポンプ５３が設けられており、この循環ポンプ５３によって液状熱媒体が循環パイプ５１を通じて熱交換器３０と蓄熱タンク５２との間で循環される。なお、図１では循環パイプ５１が部屋１５を経由して屋根裏１４と蓄熱タンク５２との間に配管されているが、部屋１５以外の部屋又は壁の内部等を経由して配管されてもよい。
【００３７】
熱交換器３０から蓄熱タンク５２に供給された液状熱媒体が蓄熱タンク５２の内部配管５２ａを流れている際に、蓄熱タンク５２内の水と内部配管５２ａ内の液状熱媒体との間で熱交換が行われる。これにより、蓄熱タンク５２内の水が加熱及び保温され、内部配管５２ａ内の液状熱媒体が冷却される。つまり、蓄熱タンク５２内に設けられた内部配管５２ａは、その内部配管５２ａ内を流れる液状熱媒体と蓄熱タンク５２内に貯留された水との間で熱交換を行う熱交換器である。なお、蓄熱タンク５２は建物本体３内に設置されてもよい。
【００３８】
２本の循環パイプ６１の他端部がデシカント除湿器６２に接続され、これら循環パイプ６１の他端部同士がデシカント除湿器６２の内部熱交換器６２ａを介して通じている。循環パイプ６１の中途部には循環ポンプ６３が設けられており、この循環ポンプ６３によって液状熱媒体が循環パイプ６１を通じて熱交換器３０とデシカント除湿器６２との間で循環される。デシカント除湿器６２には、内部熱交換器６２ａのほかにデシカントローター（乾燥剤ローター）６２ｂが内蔵されている。
【００３９】
このデシカント除湿器６２にダクト６４，６５，６６，６７が接続されている。ダクト６４，６５は部屋１５に開口しており、ダクト６６，６７は建物本体３内の他の部屋に開口している。部屋１５内の空気はダクト６４又はデシカント除湿器６２に設けられたファンによってダクト６４を通ってデシカント除湿器６２に引き込まれ、その空気がデシカントローター６２ｂに接触しつつそのデシカントローター６２ｂを通過することによって除湿され、除湿された空気がダクト６５を通って部屋１５に吹き出すようになっている。他の部屋の空気も同様にして、デシカントローター６２ｂによって除湿される。ここで、ダクト６６は他の部屋からデシカント除湿器６２へ空気を送る経路であり、ダクト６７がデシカント除湿器６２からその部屋へ空気を送る経路である。
【００４０】
デシカント除湿器６２は、循環ポンプ６３によって循環パイプ６１を通じて熱交換器３０から送り込まれてきた液状熱媒体の熱を利用して、ダクト６４，６５，６６，６７によって流通される空気を除湿するものである。本実施の形態では、デシカント除湿器６２に送り込まれた液状熱媒体の熱によって、デシカントローター６２ｂが再生される。具体的には、建物本体３の外壁で開口したダクト６８，６９がデシカント除湿器６２に接続され、外気（再生空気）がダクト６８又はデシカント除湿器６２に設けられたファンによってダクト６８を通ってデシカント除湿器６２に送り込まれ、その再生空気が内部熱交換器６２ａに接触することによって液状熱媒体の熱で加熱され（再生空気は昇温の結果、湿度が低下する）、その再生空気がデシカントローター６２ｂに接触しつつそのデシカントローター６２ｂを通過することによって、デシカントローター６２ｂが再生される。デシカントローター６２ｂを通過した再生空気はダクト６９を通って建物本体３の外に排出される。また、デシカントローター６２ｂを回転させることによって、デシカントローター６２ｂのうち再生された部分がダクト６４，６５，６６，６７の空気から吸湿し、吸湿した部分が再生空気によって再生される。
【００４１】
このデシカント除湿器６２に接続されたダクト６４，６５，６６，６７，６８，６９は、循環パイプ４１，５１，６１よりも太い。
【００４２】
本実施の形態によれば、以下のような効果及び利点がある。
（１）  循環パイプ４１，５１，６１によって循環される液状熱媒体は空気よりも比熱や体積比熱が高くて、より多くの熱量を蓄える。つまり、液状熱媒体は、空気と比較して、少ない体積でもより多くの熱量を熱交換器３０から放熱管４２、蓄熱タンク５２及びデシカント除湿器６２へ運搬する。それゆえ、循環パイプ４１，５１，６１を細くして液状熱媒体の体積流量を少なくしても、放熱管４２、蓄熱タンク５２及びデシカント除湿器６２において十分に熱が交換される。よって、循環パイプ４１，５１，６１を細くすることができる。
【００４３】
（２）  循環パイプ４１，５１，６１を細くすることによって、建物１の屋内にスペースを確保することができるとともに、循環パイプ４１，５１，６１の配管経路についての設計の自由度が向上する。特に、循環パイプ４１は従来使用していた縦ダクト（特許文献１に記載のダクト（１３ｃ））から置き換えられたものであり、その縦ダクトよりも循環パイプ４１が細いので、部屋１５にスペースを確保することができる。
【００４４】
（３）  放熱管４２も細くすることができ、床下１７のスペースを確保することができるとともに、放熱管４２を床下１７に容易に配管することができる。
【００４５】
（４）  空気流通路１０が太いので、空気流通層Ｓから熱交換器３０までの空気の流量を増やすことができ、屋根面４ａの熱を効率よく熱交換器３０まで移動させることができる。よって、熱交換器３０において大量の熱が循環パイプ４１，５１，６１の液状熱媒体に移動され、放熱管４２、蓄熱タンク５２及びデシカント除湿器６２の加熱効率が向上する。
【００４６】
（５）  熱交換器３０が屋根４に近い屋根裏１４に設置されているので、屋根面４ａから熱交換器３０までの空気流通路１０の経路を短くすることができるうえ、空気流通路１０を屋根裏１４に設置することができる。循環パイプ４１，５１，６１よりも太い空気流通路１０が屋根裏１４に設置されているので、部屋１５等の居住スペースを大きく確保することができる。
【００４７】
（６）  放熱管４２に送り込まれた液状熱媒体は排出されるのではなく、循環される。それゆえ、熱を有効利用することができる。また、従来では、屋根で加熱された空気が建物内の配管を通じて床下に送り込まれ、その空気が熱と共に床下から屋外に排出されていたので（特許文献１参照）、熱を有効利用することができなかった。それに対して、本実施形態では、放熱管４２に送り込まれた液状熱媒体が排出するのではなく、循環される。それゆえ、本実施形態によれば、熱を有効利用することができる。
【００４８】
（７）  自然エネルギーを利用して、蓄熱タンク５２内の水を加熱・保温することができる。更に、デシカント除湿器６２のデシカントローター６２ｂを再生することができるとともに、デシカント除湿器６２の除湿効果を継続することができる。よって、省エネな建物１を実現することができる。また、熱用途を多様化したことで、変動幅の大きい太陽熱集熱量（温度）をより有効に活用することができる。
【００４９】
（８）  循環パイプ４１，５１，６１が熱交換器３０に接続されているから、熱交換器３０をマルチタスク化することができる。つまり、熱交換器３０は、床１６の暖房のほかに、蓄熱タンク５２内の水の加熱・保温やデシカント除湿器６２の乾燥剤再生・除湿に利用される。それゆえ、循環パイプ４１，５１，６１を別々に熱交換器に接続した場合と比較して、床暖房システム８をシンプルな構成とすることができる。
【００５０】
（９）  液状熱媒体を利用して熱の運搬を行ったので、床１６を効率よく加熱することができる。蓄熱タンク５２内の水の加熱・保温やデシカント除湿器６２の乾燥剤再生・除湿も効率よく行われる。
【００５１】
（１０）  屋根４上の空気を空気流通路１０によって熱交換器３０に取り込み、液状熱媒体を屋根４上であえて循環させていない。そのため、屋根４における漏水のリスクを回避することができる。
【符号の説明】
【００５２】
１  建物
４ａ  屋根面
５  太陽電池モジュール（平板状屋根葺材）
１０  空気流通路
１４  屋根裏
１５  部屋
１６  床
１７  床下
３０  熱交換器
４１  循環パイプ
４２  放熱管
５１  循環パイプ（第三循環パイプ）
５２  蓄熱タンク
５２ａ  内部配管（内部熱交換器）
６１  循環パイプ（第二循環パイプ）
６２  デシカント除湿器
６２ａ  内部熱交換器
Ｓ  空気流通層
【図１】
2014202453.tif 000003
【図２】
2014202453.tif 000004
【図３】
2014202453.tif 000005
【図４】
2014202453.tif 000006